(57)【要約】【課題】  現場において、簡易かつ迅速に誘導灯の表示体の色彩を検査することができる誘導灯検査器具を提供する。【解決手段】  本発明の誘導灯検査器具Ａは、可視光領域において透明な基板１と、この基板１上の一部に形成され、表示体ｅ１の基準となる色彩に対して段階的に色彩を変化させて配置した複数の色彩見本２０、２０、・・・を有するスケール部２と、基板１のスケール部２の近傍に設けられ、表示体ｅ１から発せられる光を透過する窓部３とを備えているものである。【選択図】図２
2011012959.tif 000002
【特許請求の範囲】
【請求項１】
誘導灯の表示体の色彩を検査する誘導灯検査器具であって、
可視光領域において透明な基板と、
この基板上の一部に形成され、前記表示体の基準となる色彩に対して段階的に色彩を変化させて配置した複数の色彩見本を有するスケール部と、
前記基板の前記スケール部の近傍に設けられ、前記表示体から発せられる光を透過する窓部とを備えていることを特徴とする誘導灯検査器具。
【請求項２】
複数の色彩見本のそれぞれは、互いに間隔をあけて配置されており、窓部は、隣り合う前記色彩見本の間に位置していることを特徴とする請求項１記載の誘導灯検査器具。
【請求項３】
誘導灯の表示体の色彩を検査する誘導灯検査方法であって、
可視光領域において透明な基板上に、前記表示体の基準となる色彩に対して段階的に色彩を変化させて配置した複数の色彩見本を有するスケール部を設けると共に、前記基板の前記スケール部の近傍に、前記表示体から発せられる光を透過する窓部を設けた誘導灯検査器具を用い、
前記窓部を透過した前記光の色彩と前記色彩見本の色彩とを比較して検査することを特徴とする誘導灯検査方法。
【発明の詳細な説明】
【技術分野】
【０００１】
本発明は、誘導灯の表示体の色彩を検査する誘導灯検査器具および誘導灯検査方法に係り、特に、透明な基板上に複数の色彩見本を有するスケール部を備え、表示体から発せられる光の色彩と色彩見本の色彩とを比較して検査するものに関する。
【背景技術】
【０００２】
誘導灯や誘導標識は、特に火災や地震、あるいは停電などの緊急時において、避難者を安全かつ迅速に避難できるように誘導するための照明器具であり、避難者が確実に避難経路を認識できるように、誘導灯等の表示体（シンボルマークが付されたもの）の形状、色彩、輝度等が消防法施行規則に基づく消防庁告示において詳細に規定されている。
【０００３】
この内、誘導灯にあっては、常時点灯しているものであり、表示体は、光源からの光や熱、あるいは周囲の温湿度環境などの影響で変色や退色を生じるため、避難者が確実に認識できるように適時検査を行うと共に、必要に応じて表示体を交換しなければならない。
【０００４】
このような表示体の検査にあっては、従来、直接目視で行うのが一般的であるが、他に、ＣＣＤカメラによる画像解析手段を導入し、撮像された表示体の画像データから該表示体の色度等を割り出して適否を判定するような誘導灯評価システムが開示されている（例えば、特許文献１の図１参照）。
【先行技術文献】
【特許文献】
【０００５】
【特許文献１】特開２００１−２８３１９２号公報
【発明の概要】
【発明が解決しようとする課題】
【０００６】
しかしながら、前者の目視による検査にあっては、官能的になりすぎて不正確になり易く、検査員の個人差に依るところも大きい。また、後者の画像解析手段による検査にあっては、検査装置が大掛かりとなり、高価であって取り扱いが難しく、しかも、現場での即時解析に不向きであり、迅速性に欠ける等、問題点があった。
【０００７】
本発明は、上述した問題点を解決するためになされたものである。
【課題を解決するための手段】
【０００８】
請求項１に係る発明は、誘導灯の表示体の色彩を検査する誘導灯検査器具であって、可視光領域において透明な基板と、この基板上の一部に形成され、前記表示体の基準となる色彩に対して段階的に色彩を変化させて配置した複数の色彩見本を有するスケール部と、前記基板の前記スケール部の近傍に設けられ、前記表示体から発せられる光を透過する窓部とを備えている誘導灯検査器具である。
【０００９】
請求項２に係る発明は、請求項１記載の誘導灯検査器具において、複数の色彩見本のそれぞれは、互いに間隔をあけて配置されており、窓部は、隣り合う前記色彩見本の間に位置しているものである。
【００１０】
請求項３に係る発明は、誘導灯の表示体の色彩を検査する誘導灯検査方法であって、可視光領域において透明な基板上に、前記表示体の基準となる色彩に対して段階的に色彩を変化させて配置した複数の色彩見本を有するスケール部を設けると共に、前記基板の前記スケール部の近傍に、前記表示体から発せられる光を透過する窓部を設けた誘導灯検査器具を用い、前記窓部を透過した前記光の色彩と前記色彩見本の色彩とを比較して検査する誘導灯検査方法である。
【発明の効果】
【００１１】
請求項１に記載の誘導灯検査器具によれば、可視光領域において透明な基板と、この基板上の一部に形成され、表示体の基準となる色彩に対して段階的に色彩を変化させて配置した複数の色彩見本を有するスケール部と、前記基板の前記スケール部の近傍に設けられ、前記表示体から発せられる光を透過する窓部とを備えているため、大掛かりな装置を必要とせず、簡易かつ迅速に表示体の色彩を検査することができる。
【００１２】
請求項２に記載の発明によれば、請求項１記載の誘導灯検査器具の効果に加え、複数の色彩見本のそれぞれは、互いに間隔をあけて配置されており、窓部は、隣り合う前記色彩見本の間に位置しているため、表示体から発せられる光の光色と、窓部の両側に配置されている色彩見本の色彩とを見比べて、どちらの色彩により近いかを容易に判断することができ、より一層確実な検査を行うことができる。
【００１３】
請求項３に記載の誘導灯検査方法によれば、可視光領域において透明な基板上に、前記表示体の基準となる色彩に対して段階的に色彩を変化させて配置した複数の色彩見本を有するスケール部を設けると共に、前記基板の前記スケール部の近傍に、前記表示体から発せられる光を透過する窓部を設けた誘導灯検査器具を用い、前記窓部を透過した前記光の色彩と前記色彩見本の色彩とを比較して検査するため、大掛かりな装置を必要とせず、簡易かつ迅速に表示体の色彩を検査することができる。
【図面の簡単な説明】
【００１４】
【図１】本発明の誘導灯検査器具の一実施例を示した概略的斜視図である。
【図２】図１の変形例を示した概略的斜視図である。
【図３】本発明の誘導灯検査方法を説明するための概略図である。
【図４】図２の誘導灯検査器具を使用し、その使用状態において、一部を拡大して示す概略図である。
【図５】誘導灯の一例を示した概略的斜視図である。
【発明を実施するための形態】
【００１５】
本発明に係る誘導灯検査器具および誘導灯検査方法の一実施例を、図１〜図４を参照して説明する。図１、図２において、Ａは、誘導灯検査器具であり、誘導灯検査器具Ａは、図５に例示した誘導灯ｅに取り付けられた表示体ｅ１（シンボルマークが付されたもの）の色彩を検査するもので、概略的に、基板１と、この基板１に形成されたスケール部２および窓部３とにより構成されている。
【００１６】
基板１は、後記するスケール部２および窓部３が形成される構体であり、平板状で、可視光領域において透明な材料、例えば、アクリル樹脂、ポリカーボネイト樹脂、板ガラスなどの材料により形成されている。
【００１７】
スケール部２は、基板１上の一部に形成され、表示体ｅ１の基準となる色彩に対して段階的に色彩を変化させて配置した複数の色彩見本２０、２０、・・・を有するもので、例えば、図１に示したように、変色若しくは退色度合いのいずれかを検査するために、色相または彩度を一方向に一元配列として段階的に変化させて配置するものや、図２に示したように、変色および退色度合いの両方を検査するために、色相と彩度とを縦横方向に二元配列として段階的に変化させて配置するものを例示することができる。
【００１８】
なお、基準となる色彩とは、消防法施行規則に基づく消防庁告示「誘導灯及び誘導標識の基準」の別図第４に記載された色度図における緑色内の特定の色度のものをいう。
【００１９】
前述の色彩見本２０は、その形成にあっては公知の印刷方法を適用できるもので、例えば、スクリーン印刷法、インクジェット印刷法などにより直接基板１上に印刷したり、オフセット印刷法などにより紙片に印刷したものを基板１上に貼り付けたりして形成することができ、反射光が所望の色彩を発色できるような公知のインクを用いて形成されている。
【００２０】
窓部３は、基板１のスケール部２の近傍、特にスケール部２に隣接する部位に設けられ、表示体ｅ１から発せられる光を透過するものであるが、好ましくは、図１、図２に示したように、複数の色彩見本２０、２０、・・・のそれぞれを、互いに間隔をあけて配置し、窓部３を、隣り合う色彩見本２０、２０の間に位置させるのがよい。
【００２１】
また、図１、図２において、ｍは、表示体ｅ１の色度が、前述の別図第４記載の規格（緑色の規格）内となる適合範囲を示しており、適合範囲ｍは、例えば、同図に示したように、線（図１、図２にあっては点線を例示）などで区画するようにしてもよい。
【００２２】
次に、上述した構成の誘導灯検査器具Ａを用いて行う誘導灯検査方法について、図３、図４を参照し、図２に示した誘導灯検査器具Ａを例にとって説明する。この誘導灯検査方法は、窓部３を透過した表示体ｅ１の光の色彩と色彩見本２０の色彩とを比較して検査するものであり、図３は、検査員ｋが誘導灯検査器具Ａを使用して誘導灯ｅの表示体ｅ１の色彩を検査している状態を示したもので、まず、検査員ｋは、誘導灯検査器具Ａを手に持って誘導灯ｅにかざす。
【００２３】
そして、図４に示したように、例えば、この誘導灯検査器具Ａの窓部３１（３）を介し、該窓部３１（３）を透過した表示体ｅ１からの光の色彩と、この窓部３１（３）の両側に位置する色彩見本２１（２０）、２２（２０）の色彩とを比較して検査するもので（表示体ｅ１’参照）、表示体ｅ１からの光の色彩が、色彩見本２１（２０）の色彩よりも色彩見本２２（２０）の色彩に近ければ、引き続き横隣の窓部３２（３）を介し、色彩見本２２（２０）、２３（２０）の色彩と比較をする（表示体ｅ１”参照）。なお、図示していないが、場合によっては、縦隣の窓部３を介し、この窓部３の上下に位置する色彩見本２０、２０と比較を行ってもよい。
【００２４】
そして、この操作を順次繰り返し、表示体ｅ１からの光の色彩が、両側に位置する色彩見本２０、２０の間となるような窓部３を探索し、この探索が完了したときに表示体ｅ１の色彩が決定されるもので、決定された表示体ｅ１の色彩が適合範囲ｍ内であれば合格であり、適合範囲ｍ外であれば不合格と判定され、表示体ｅ１の交換を要することとなる。
【００２５】
ところで、上述した誘導灯ｅの検査は、白色光の環境下において、該白色光で誘導灯検査器具Ａの色彩見本２０を照らし、その反射光の色彩と表示体ｅ１からの光の色彩とを比較して検査を行うのが好ましい。これは、色彩見本２０の発色をより忠実に再現し、表示体ｅ１の色彩の判定をより正確に行うためである。
【００２６】
また、上述した実施例にあっては、色彩の要素となる色相、彩度および明度の内、色相および／または彩度についての色彩見本２０によりスケール部２を構成する誘導灯検査器具Ａについて示したが、これらと明度とを適宜組み合わせてスケール部２としてもよい。
【符号の説明】
【００２７】
Ａ        誘導灯検査器具
ｅ        誘導灯
ｅ１      表示体
ｍ        適合範囲
１        基板
２        スケール部
２０      色彩見本
３        窓部
【図１】
2011012959.tif 000003
【図２】
2011012959.tif 000004
【図３】
2011012959.tif 000005
【図４】
2011012959.tif 000006
【図５】
2011012959.tif 000007